(57)【要約】【課題】吸湿部材を再生する際に、別途ヒータを必要とすることなく、不足する熱量を他の冷凍機器から効率的に吸熱することのできる冷凍空調システムを提供する。【解決手段】熱交換器３４によって第１の冷媒回路４０の第１の圧縮機３１に吸入される冷媒を第２の冷媒回路５０の第２の凝縮器３３から吐出される冷媒とを熱交換するようにしたので、第１の蒸発器１４によって吸収した熱及び熱交換器３４によって吸収した熱により空調ユニット１０のデシカントロータ１２の再生を行うことができ、従来のようにデシカントロータ１２の再生に別途ヒータを用いる必要がなく、製造コストの低減及び消費電力の低減を図ることができる。【選択図】図３
2006057883.tif 000002
【特許請求の範囲】
【請求項１】
第１の通風路を流通する空気中の水分を吸着して第２の通風路内に放出する吸湿部材と、第１の通風路を流通する空気と冷媒とを熱交換する第１の蒸発器と、第２の通風路を流通する空気と冷媒とを熱交換する第１の凝縮器と、第１の圧縮機から吐出した冷媒を第１の蒸発器及び第１の凝縮器に循環する第１の冷媒回路と、第２の圧縮機、第２の凝縮器及び第２の蒸発器が接続された第２の冷媒回路とを備えた冷凍空調システムであって、
第１の冷媒回路の第１の凝縮器から吐出される冷媒の一部と第２の冷媒回路の第２の凝縮器から吐出される冷媒とを熱交換することにより、第１の冷媒回路の冷媒を蒸発させるとともに、第２の冷媒回路の冷媒を過冷却する熱交換器を備えた
ことを特徴とする冷凍空調システム。
【請求項２】
前記第１の蒸発器を流通する冷媒の蒸発圧力を所定圧力以上に調整する蒸発圧力調整手段を備えた
ことを特徴とする請求項１記載の冷凍空調システム。
【請求項３】
前記蒸発圧力調整手段として第１の蒸発器の吐出側に蒸発圧力調整弁を接続した
ことを特徴とする請求項２記載の冷凍空調システム。
【請求項４】
前記第１の凝縮器によって熱交換された第２の通風路を流通する空気の温度を検出する温度検出手段と、
前記温度検出手段の検出温度に基づいて第１の圧縮機の回転数を制御する制御手段を備えた
ことを特徴とする請求項１記載の冷凍空調システム。
【請求項５】
前記第１の通風路を流通する空気と冷媒とを熱交換する第３の凝縮器と、
第１の圧縮機から吐出する冷媒を第１の凝縮器に流通させ、第１の凝縮器から吐出する冷媒の一部を膨張手段を介して第１の蒸発器に流通させ、他の冷媒を膨張手段を介して熱交換器に流通させることにより第１の蒸発器によって第１の通風路を流通する空気を冷却する除湿冷房運転用冷媒流通経路と、
第１の圧縮機から吐出する冷媒を第３の凝縮器に流通させ、第３の凝縮器から吐出する冷媒を膨張手段を介して熱交換器に流通させることにより第３の凝縮器によって第１の通風路を流通する空気を加熱する暖房運転用冷媒流通経路と、
各冷媒流通経路を切換える切換手段とを備えた
ことを特徴とする請求項１記載の冷凍空調システム。
【請求項６】
前記第１の通風路を流通する空気が供給される空調空間の温度を検出する温度検出手段と、
暖房運転時に温度検出手段の検出温度が所定温度に達すると、圧縮機から吐出する冷媒を第３の凝縮器に流通させずに第１の凝縮器に流通させ、第１の凝縮器から吐出する冷媒を膨張手段を介して熱交換器に流通させる制御手段とを備えた
ことを特徴とする請求項５記載の冷凍空調システム。
【発明の詳細な説明】
【技術分野】
【０００１】
本発明は、例えばスーパーマーケットやコンビニエンスストア等の店舗内を空調するとともに、店舗内に設置された冷凍・冷蔵ショーケース等の冷凍機器内の商品を冷却する冷凍空調システムに関するものである。
【背景技術】
【０００２】
従来、この種の空気調和装置としては、第１の通風路を流通する空気と熱交換する蒸発器と、第２の通風路を流通する空気と熱交換する凝縮器と、第１の通風路を流通する空気中の水分を吸着して第２の通風路を流通する空気中に放出する吸湿部材としてのデシカントロータと、圧縮機によって凝縮器及び蒸発器に順次冷媒を循環する冷媒回路とを備え、蒸発器を流通する冷媒によって第１の通風路を流通する空気を冷却して空調空間に供給し、凝縮器を流通する冷媒によって第２の通風路を流通する空気を加熱してデシカントロータが第１の通風路を流通する空気中から吸着した水分を第２の通風路を流通する空気中に放出するようにしたものが知られている（例えば、特許文献１参照）。
【０００３】
また、冷蔵ショーケース等の冷凍機器の冷却装置としては、凝縮器及び蒸発器に圧縮機から吐出した冷媒を順次流通させて圧縮機に吸入する冷媒回路を備え、蒸発器によって冷却対象物を冷却するようにしたものが知られている。
【特許文献１】特開２００３−２２７６７７号公報
【発明の開示】
【発明が解決しようとする課題】
【０００４】
しかしながら、従来の空気調和装置において、第１の通風路を流通する空気は、デシカントロータによって除湿されるとともに、蒸発器によって冷却されるようになっているため、蒸発器を流通する冷媒と第１の通風路を流通する空気との熱交換は顕熱のみの熱交換を行うようになっている。このため、凝縮器によって第２の通風路を流通する空気を加熱してデシカントロータに吸着した水分を第２の通風路を流通する空気中に放出させるために必要な熱量を蒸発器において吸熱することができず、別途加熱ヒータを設ける必要があり、消費電力量が多くなるという問題点があった。
【０００５】
本発明は前記問題点に鑑みてなされたものであり、その目的とするところは、吸湿部材を再生する際に、別途ヒータを必要とすることなく、不足する熱量を他の冷凍機器から効率的に吸熱することのできる冷凍空調システムを提供することにある。
【課題を解決するための手段】
【０００６】
本発明は前記目的を達成するために、第１の通風路を流通する空気中の水分を吸着して第２の通風路内に放出する吸湿部材と、第１の通風路を流通する空気と冷媒とを熱交換する第１の蒸発器と、第２の通風路を流通する空気と冷媒とを熱交換する第１の凝縮器と、第１の圧縮機から吐出した冷媒を第１の蒸発器及び第１の凝縮器に循環する第１の冷媒回路と、第２の圧縮機、第２の凝縮器及び第２の蒸発器が接続された第２の冷媒回路とを備えた冷凍空調システムであって、第１の冷媒回路の第１の凝縮器から吐出される冷媒の一部と第２の冷媒回路の第２の凝縮器から吐出される冷媒とを熱交換することにより、第１の冷媒回路の冷媒を蒸発させるとともに、第２の冷媒回路の冷媒を過冷却する熱交換器を備えている。
【０００７】
これにより、熱交換器によって第１の冷媒回路の冷媒が蒸発するとともに、第２の冷媒回路の冷媒が過冷却されることから、第１の蒸発器によって吸収した熱及び熱交換器によって吸収した熱によって第２の通風路を流通する空気が加熱され、第１の通風路を流通する空気中から吸湿部材に吸着した水分が第２の通風路を流通する空気中に放出される。
【発明の効果】
【０００８】
本発明によれば、第１の通風路を流通する空気中から吸湿部材が吸着した水分を第１の蒸発器によって吸収した熱及び熱交換器によって吸収した熱によって第２の通風路を流通する空気中に放出することができるので、従来のように吸湿部材の再生に別途ヒータを用いる必要がなく、製造コストの低減及び消費電力の低減を図ることができる。また、熱交換器によって第２の冷媒回路の冷媒は過冷却されるので、冷蔵ショーケース側の冷却負荷が大きい場合においても、各冷蔵ショーケースの冷却能力を低下させることがなく、第１の冷媒回路の冷媒が吸湿部材の再生に必要な熱を第２の冷媒回路から吸収することができる。
【発明を実施するための最良の形態】
【０００９】
図１乃至図４は本発明の一実施形態を示すもので、図１は冷凍空調システムの冷媒回路図、図２は制御系を示すブロック図、図３は冷媒の流路を示す冷媒回路図、図４は第１及び第２の冷媒回路の冷凍サイクルを示すモリエ線図である。
【００１０】
この冷凍空調システムは、店舗Ａ内の空調を行う空調ユニット１０と、店舗Ａ内に設置された複数の冷蔵ショーケース２０と、空調ユニット１０及び各冷蔵ショーケース２０の熱源となる冷凍機ユニット３０と、空調ユニット１０側の冷凍サイクルを構成する第１の冷媒回路４０と、冷蔵ショーケース２０側の冷凍サイクルを構成する第２の冷媒回路５０と、空調ユニット１０及び各冷蔵ショーケース２０の温度または運転等の制御を行う制御部６０とから構成されている。
【００１１】
空調ユニット１０は、店舗Ａの天井裏または店舗Ａに隣接して設けられたバックヤードまたは機械室内に設置されたユニット本体１１と、店舗Ａ内に供給する空気を除湿する吸湿部材としてのデシカントロータ１２と、除湿された空気を流通させる空調用送風機１３と、除湿する空気を冷却する第１の蒸発器１４と、デシカントロータ１２を再生する空気を流通させる再生用送風機１５と、デシカントロータ１２を再生する空気を加熱する第１の凝縮器１６と、店舗Ａ内に供給する空気と加熱前のデシカントロータ１２を再生する空気とを熱交換させる顕熱交換ロータ１７とを備えている。
【００１２】
ユニット本体１１は、その内部を仕切ることにより並べて設けられた第１の通風路１１ａ及び第２の通風路１１ｂを備え、第１の通風路１１ａの両端部及び第２の通風路１１ｂの両端部にはそれぞれダクトが接続される開口部が設けられている。また、第１の通風路１１ａの一端側及び第２の通風路１１ｂの一端側はそれぞれ店舗Ａ内に連通するとともに、第１の通風路１１ａの他端側及び第２の通風路１１ｂの他端側はそれぞれ店舗Ａ外に連通するようになっている。
【００１３】
デシカントロータ１２は、例えばシリカゲル、ゼオライト等の吸湿剤を含んだエレメント１２ａを円板状に形成した部材からなり、第１の通風路１１ａ及び第２の通風路１１ｂに亘って設けられている。また、デシカントロータ１２は、図示しないモータによってエレメント１２ａを径方向の中心を軸に回転させることにより、第１の通風路１１ａ内と第２の通風路１１ｂ内との間をエレメント１２ａが回転しながら移動するようになっている。
【００１４】
空調用送風機１３は、第１の通風路１１ａ内に設置され、第１の通風路１１ａの他端側から一端側に向かって空気を流通させることにより店舗Ａ外の空気を店舗Ａ内に流通させるようになっている。
【００１５】
第１の蒸発器１４は、第１の通風路１１ａ内のデシカントロータ１２の上流側に設けられ、第１の通風路１１ａを流通する空気を冷却するようになっている。
【００１６】
再生用送風機１５は、第２の通風路１１ｂ内に設置され、第１の通風路１１ａの空気の流れ方向と逆向きに店舗Ａ内の空気を店舗Ａ外に流通させるようになっている。
【００１７】
第１の凝縮器１６は、第２の通風路１１ｂ内のデシカントロータ１２の上流側に設けられ、第２の通風路１１ｂを流通する空気を加熱するようになっている。
【００１８】
顕熱交換ロータ１７は、ハニカム構造を有するアルミニウム等の金属材料からなるエレメント１７ａを円板状に形成した部材からなり、第１の通風路１１ａ及び第２の通風路１１ｂに亘って設けられている。また、顕熱交換ロータ１７は、図示しないモータによってエレメント１７ａを径方向の中心を軸に回転させることにより、第１の通風路１１ａ内と第２の通風路１１ｂ内との間をエレメント１７ａが回転しながら移動するようになっている。
【００１９】
各冷蔵ショーケース２０は、前面を開放したオープンショーケースや前面をガラス扉によって開閉するリーチインショーケース等からなり、それぞれの冷蔵ショーケース２０の内部には第２の冷媒回路５０に接続された第２の蒸発器２１が設けられている。また、それぞれの冷蔵ショーケース２０の内部には各冷蔵ショーケース２０内の空気と第２の蒸発器２１内の冷媒とをそれぞれ熱交換させる蒸発器用送風機２２が設けられている。
【００２０】
冷凍機ユニット３０は、店舗Ａ外に設置され、第１の冷媒回路４０に接続された第１の圧縮機３１と、第２の冷媒回路５０に接続された第２の圧縮機３２と、第２の圧縮機３２の吐出側に接続された第２の凝縮器３３と、第１の冷媒回路４０及び第２の冷媒回路５０に接続された熱交換器３４とを備え、熱交換器３４によって第１の冷媒回路４０の冷媒と第２の冷媒回路５０の冷媒とを熱交換させるようになっている。また、第１の圧縮機３１は、インバータ制御により回転数が制御され、冷媒の吐出量を調整できるようになっている。更に、冷凍機ユニット３０内には第２の凝縮器３３を流通する冷媒と店舗Ａ外の空気と熱交換させる凝縮器用送風機３５が設けられている。
【００２１】
第１の冷媒回路４０は、図１に示すように、第１の蒸発器１４、第１の凝縮器１６、第１の圧縮機３１、熱交換器３４、第１の膨張弁４１、第２の膨張弁４２及び蒸発圧力調整弁４３を備え、これらは冷媒流通用の配管によって接続されている。即ち、第１の圧縮機３１の吐出側には第１の凝縮器１６の吸入側が接続され、第１の凝縮器１６の吐出側には第１の蒸発器１４の吸入側と熱交換器３４の第１の冷媒回路４０側の吸入側がそれぞれ並列に接続されている。このとき、第１の凝縮器１６と第１の蒸発器１４との間には第１の膨張弁４１が設けられ、第１の凝縮器１６と熱交換器３４との間には第２の膨張弁４２が設けられている。また、第１の蒸発器１４の吐出側と熱交換器３４の第１の冷媒回路４０側の吐出側にはそれぞれ並列に第１の圧縮機３１の吸入側が接続されている。このとき、第１の蒸発器１４と第１の圧縮機３１との間には第１の蒸発器１４の蒸発圧力を所定圧力以上に調整する蒸発圧力調整弁４３が設けられている。
【００２２】
第２の冷媒回路５０は、図１に示すように、複数の第２の蒸発器２１、第２の圧縮機３２、第２の凝縮器３３、熱交換器３４、受液器５１、複数の電磁弁５２、複数の第３の膨張弁５３を備え、これらは冷媒流通用の配管によって接続されている。即ち、第２の圧縮機３２の吐出側には第２の凝縮器３３の吸入側が接続され、第２の凝縮器３３の吐出側には熱交換器３４が接続されている。このとき、第２の凝縮器３３と熱交換器３４との間には受液器５１が設けられている。熱交換器３４の吐出側には各第２の蒸発器２１の吸入側がそれぞれ並列に接続され、各第２の蒸発器２１の吐出側にはそれぞれ並列に第２の圧縮機３２の吸入側が接続されている。このとき、各第２の蒸発器２１の吸入側と熱交換器３４の吐出側との間にはそれぞれ電磁弁５２が設けられ、各電磁弁５２と各第２の蒸発器２１の吸入側との間には第３の膨張弁５３が設けられている。
【００２３】
制御部６０はマイクロコンピュータからなり、図２に示すように、デシカントロータ１２、空調用送風機１３、再生用送風機１５、顕熱交換ロータ１７、蒸発器用送風機２２、第１の圧縮機３１、第２の圧縮機３２、凝縮器用送風機３５及び各電磁弁５２が接続されている。また、制御部６０には、第１の蒸発器１４によって冷却される前の外気の露点温度を検出する露点温度センサ６１及び第２の通風路１１ｂに設けられ、第１の凝縮器によって加熱された後の空気の温度を検出する温度センサ６２が接続されている。
【００２４】
以上のように構成された冷凍空調システムにおいて、空調ユニット１０及び各冷蔵ショーケース２０の運転は、図３に示すように、第１の圧縮機３１から吐出された冷媒は第１の凝縮器１６を流通した後、冷媒の一部は第１の膨張弁４１を介して第１の蒸発器１４を流通するとともに、他の冷媒は第２の膨張弁４２を介して熱交換器３４を流通し、第１の蒸発器１４及び熱交換器３４から流出した冷媒はそれぞれ第１の圧縮機３１に吸入される。また、第２の圧縮機３２から吐出された冷媒は、第２の凝縮器３３を流通した後、熱交換器３４に流通する。熱交換器３４から吐出した冷媒は電磁弁５２及び第３の膨張弁５３を介して第２の蒸発器２１に流通し、第２の圧縮機３２に吸入される。
【００２５】
このとき、第１の冷媒回路４０の冷媒は第１の蒸発器１４及び熱交換器３４において吸熱することにより蒸発し、第１の凝縮器１６において放熱して凝縮する。また、第２の冷媒回路５０の冷媒は、各第２の蒸発器２１において吸熱することにより蒸発し、第２の凝縮器３３において放熱することにより凝縮する。更に、図４のモリエ線図に示すように、第２の冷媒回路５０の冷媒は熱交換器３４において第１の冷媒回路４０の冷媒と熱交換することにより凝縮温度からＴ℃過冷却される。
【００２６】
このようにして、空調ユニット１０では、空調用送風機１３によって店舗Ａ外から第１の通風路１１ａに流通させた外気（ＯＡ）を第１の蒸発器１４を流通する冷媒と熱交換させることにより冷却し、冷却して相対湿度が高くなった空気をデシカントロータ１２に接触させることにより空気中の水分をエレメント１２ａに吸着させて除湿する。更に、除湿した空気を顕熱交換ロータ１７によって第２の通風路１１ｂを流通する空気と顕熱を熱交換した後に給気（ＳＡ）として店舗Ａ内に供給する。また、再生用送風機１５によって店舗Ａ内から第２の通風路１１ｂに流通させた還気（ＲＡ）を顕熱交換ロータ１７によって第１の通風路１１ａを流通する空気と顕熱を熱交換した後、その空気を第１の凝縮器１６を流通する冷媒と熱交換させることにより加熱し、加熱した空気をデシカントロータ１２に接触させることによりデシカントロータ１２のエレメント１２ａに吸着した水分を蒸発させる。これにより、デシカントロータ１２のエレメント１２ａが再生され、再生に利用されて水分を吸収した空気は排気（ＥＡ）として店舗Ａ外に排出される。また、各冷蔵ショーケース２０では、冷蔵ショーケース２０内の空気を蒸発用送風機２２によって循環させ、循環する空気を第２の蒸発器２１によって冷却することにより冷蔵ショーケース２０内に収納された商品が冷却される。
【００２７】
このとき、露点温度センサ６１によって第１の通風路１１ａを流通する外気の露点温度を検出するようになっており、外気に含まれる水分が第１の蒸発器１４に結露しないように第１の蒸発器１４の蒸発圧力を調整する。これにより、第１の蒸発器１４において熱交換される外気の熱は顕熱のみの熱交換となる。また、第１の凝縮器１６と熱交換した後の空気の温度を温度センサ６２によって検出するようになっており、検出された空気の温度に基づいて第１の圧縮機３１の回転数の制御を行う。これにより、第２の通風路１１ｂを流通する空気の温度が変化した場合においても、第１の凝縮器１６を流通する冷媒の凝縮温度を制御することによりデシカントロータ１２を再生する空気を効率的な温度に加熱することができる。
【００２８】
このように、本実施形態の冷凍空調システムによれば、熱交換器３４によって第１の冷媒回路４０の第１の凝縮器１６から吐出される冷媒の一部を第２の冷媒回路５０の第２の凝縮器３３から吐出される冷媒とを熱交換するようにしたので、第１の蒸発器１４によって吸収した熱及び熱交換器３４によって吸収した熱により空調ユニット１０のデシカントロータ１２の再生を行うことができ、従来のようにデシカントロータ１２の再生に別途ヒータを用いる必要がなく、製造コストの低減及び消費電力の低減を図ることができる。また、熱交換器３４によって第２の冷媒回路５０の冷媒は過冷却されているので、冷蔵ショーケース２０側の冷却負荷が大きくなった場合においても、各冷蔵ショーケース２０の冷却能力を低下させることがなく、第１の冷媒回路４０の冷媒はデシカントロータ１２の再生に必要な熱を第２の冷媒回路５０から吸収することができる。
【００２９】
また、第１の蒸発器１４の蒸発圧力を所定圧力以上に調整可能に構成したので、外気に含まれる水分が第１の蒸発器１４に結露しないように、第１の蒸発器１４を流通する冷媒の蒸発温度を調整することができ、第１の蒸発器１４において熱交換される外気の熱を顕熱のみとすることにより第１の圧縮機３１の消費電力量の低減を図ることができる。
【００３０】
また、第１の蒸発器１４の蒸発圧力を蒸発圧力調整弁４３によって調整するようにしたので、簡単な構成で第１の蒸発器１４の蒸発圧力を調整することができ、製造コストの低減を図ることができる。
【００３１】
また、第１の凝縮器１６によって熱交換された第２の通風路１１ｂを流通する空気の温度を温度センサ６２によって検出し、検出温度に基づいて第１の圧縮機３１の回転数を制御するようにしたので、第２の通風路１１ｂを流通する空気の温度に応じて第１の凝縮器１６を流通する冷媒の凝縮温度を制御することができ、デシカントロータ１２の再生を効率的に行うことができる。
【００３２】
尚、前記実施形態では、冷蔵ショーケース２０の冷凍サイクルを構成する第２の冷媒回路４０を流通する冷媒と空調ユニット１０の冷凍サイクルを構成する第１の冷媒回路５０を流通する冷媒とを熱交換器３４によって熱交換するようにしたものを示したが、冷凍ショーケースやその他の冷凍機器の冷凍サイクルを構成する冷媒回路の冷媒と空調ユニット１０の冷凍サイクルを構成する第１の冷媒回路を流通する冷媒とを熱交換するようにしてもよい。
【００３３】
また、前記実施形態では、顕熱交換ロータ１７によって第１の通風路１１ａを流通する空気と第２の通風路１１ｂを流通する空気の顕熱を交換するようにしたものを示したが、顕熱交換ロータを備えていない空気調和装置であってもよい。
【００３４】
また、前記実施形態では、第１の通風路１１ａを流通する空気と第２の通風路を流通する空気の顕熱を交換するために顕熱交換器を回転型の熱交換器としての顕熱交換ロータ１７を用いたものを示したが、直交型の顕熱熱交換器を用いるようにしてもよい。
【００３５】
また、前記実施形態では、第１の蒸発器１４の吐出側に蒸発圧力調整弁を設けたものを示したが、第１の蒸発器１４の吸入側に電子膨張弁を設けるようにして第１の蒸発器１４を流通する冷媒の蒸発圧力を調整するようにしてもよい。
【００３６】
また、前記実施形態では、外気の露点温度を検出するために露点温度センサを用いたものを示したが、外気の温度及び湿度を検出して制御部によって露点温度を算出するようにしてもよい。
【００３７】
また、前記実施形態では、第１の蒸発器１４をデシカントロータ１２の上流側に設けたものを示したが、第１の蒸発器１４をデシカントロータ１２の下流側に設けるようにしてもよい。
【００３８】
図５乃至図９は他の実施形態を示すもので、図５は冷凍空調システムの冷媒回路図、図６は制御系を示すブロック図、図７は除湿冷房運転時の冷媒の流路を示す冷媒回路図、図８は暖房運転時の冷媒の流路を示す冷媒回路図、図９は空調空間が所定温度以上の場合の暖房運転時の冷媒の流路を示す冷媒回路図である。尚、前記実施形態と同様の構成部分には同一の符号を付して示す。
【００３９】
本実施形態の冷凍空調システムの空調ユニット７０は、顕熱交換ロータを備えておらず、第１の通風路１１ａを流通する空気を加熱する第３の凝縮器１８を備えている。
【００４０】
冷媒回路８０は、図５に示すように、前記実施形態と同様な冷媒回路が構成され、更に、第１の凝縮器１６の吐出側と第１の膨張弁４１との間には第１の電磁弁８１が設けられ、第１の圧縮機３１の吐出側と第１の凝縮器１６との間には第２の電磁弁８２が設けらている。また、第１の圧縮機３１の吐出側と第２の電磁弁８２との間と、第１の凝縮器１６の吐出側と第２の膨張弁４２との間は配管によってバイパス接続され、その間には第３の凝縮器１８及び第３の電磁弁８３が設けられている。
【００４１】
制御部９０は、図６に示すように、デシカントロータ１２、空調用送風機１３、再生用送風機１５、蒸発器用送風機２２、第１の圧縮機３１、第２の圧縮機３２、凝縮器用送風機３５及び各電磁弁５２、露点温度センサ６１、温度センサ６２、第１の電磁弁８１、第２の電磁弁８２、第３の電磁弁８３、除湿冷房運転と暖房運転を切換える運転切換スイッチ９１及び空調空間Ａの温度を検出する温度センサ９２が接続されている。
【００４２】
以上のように構成された冷凍空調システムにおいて、運転切換スイッチ９１によって除湿冷房運転が選択されると、第１の電磁弁８１及び第２の電磁弁８２を開放して、第３の電磁弁８３を閉鎖して運転を行う。これにより、図７に示すように、第１の圧縮機３１から吐出された冷媒は第１の凝縮器１６を流通した後、冷媒の一部は第１の膨張弁４１を介して第１の蒸発器１４を流通するとともに、他の冷媒は第２の膨張弁４２を介して熱交換器３４を流通し、第１の蒸発器１４及び熱交換器３４から流出した冷媒はそれぞれ第１の圧縮機３１に吸入される。
【００４３】
このようにして、空調ユニット７０では、空調用送風機１３によって空調空間としての店舗Ａ外から第１の通風路１１ａに流通させた外気（ＯＡ）を第１の蒸発器１４を流通する冷媒と熱交換させることにより冷却し、冷却した空気をデシカントロータ１２に接触させることにより除湿して店舗Ａ内に給気（ＳＡ）として供給する。また、再生用送風機１５によって店舗Ａ内から第２の通風路１１ｂに流通させた還気（ＲＡ）を第１の凝縮器１６を流通する冷媒と熱交換させることにより加熱し、加熱した空気をデシカントロータ１２に接触させることによりデシカントロータ１２のエレメント１２ａに吸着した水分を蒸発させる。これにより、デシカントロータ１２のエレメント１２ａが再生され、再生に利用されて水分を吸収した空気は排気（ＥＡ）として店舗Ａ外に排出される。
【００４４】
また、運転切換スイッチ９１によって暖房運転が選択されると、デシカントロータ１２を停止するとともに、第１の電磁弁８１及び第２の電磁弁８２を閉鎖して第３の電磁弁８３を開放して運転を行う。これにより、図８に示すように、第１の圧縮機３１から吐出された冷媒は、第３の凝縮器１８を流通した後、第２の膨張弁４２を介して熱交換器３４を流通して第１の圧縮機３１に吸入される。
【００４５】
このようにして、空調ユニット７０では、空調用送風機１３によって店舗Ａ外から第１の通風路１１ａに流通させた外気（ＯＡ）を第３の凝縮器１８を流通する冷媒と熱交換させることにより加熱し、加熱した空気を店舗Ａ内に給気（ＳＡ）として供給する。また、再生用送風機１５によって店舗Ａ内から第２の通風路１１ｂに流通させた還気（ＲＡ）を第１の凝縮器１６において熱交換させることなく、排気（ＥＡ）として店舗外に排出する。
【００４６】
また、運転切換スイッチ９１によって暖房運転が選択された状態で、温度センサ９２によって検出される店舗Ａ内の温度が所定温度以上になった場合には、第１の電磁弁８１及び第３の電磁弁８３を閉鎖し、第２の電磁弁８２を開放する。これにより、図９に示すように、第１の圧縮機３１から吐出された冷媒は、第３の凝縮器１８に流通することなく第１の凝縮器１６を流通した後、第２の膨張弁４２を介して熱交換器３４を流通して第１の圧縮機３１に吸入される。
【００４７】
このようにして、空調ユニット７０では、空調用送風機１３によって店舗Ａ外から第１の通風路１１ａに流通させた外気（ＯＡ）を第３の凝縮器１８において熱交換させることなく、店舗Ａ内に給気（ＳＡ）として供給する。また、再生用送風機１５によって店舗Ａ内から第２の通風路１１ｂに流通させた還気（ＲＡ）を第１の凝縮器１６を流通する冷媒と熱交換させることにより加熱し、加熱した空気を店舗Ａ外に排気（ＥＡ）として排出する。
【００４８】
このように、本実施形態の冷凍空調システムによれば、第１の圧縮機３１から吐出した冷媒を第３の凝縮器１８において凝縮させた後、凝縮した冷媒を熱交換器３４において蒸発させるようにして暖房運転を行うようにしたので、熱交換器３４において第２の冷媒回路５０の冷媒を過冷却する際に第１の冷媒回路４０の冷媒が吸収する熱を店舗Ａの暖房運転に利用することができ、省エネルギー化を図ることができる。
【００４９】
また、店舗Ａ内の温度が所定温度以上になった場合には、第１の圧縮機３１から吐出した冷媒を第３の凝縮器１８に流通させることなく第１の凝縮器１６に流通させるようにしたので、第２の通風路１１ｂを流通する空気中に第２の冷媒回路５０の冷媒を過冷却する際に第１の冷媒回路４０の冷媒が吸収する熱を外部に排出することができ、店舗Ａ内の暖房を停止した場合にも冷蔵ショーケース２０の冷却運転を継続することができる。
【図面の簡単な説明】
【００５０】
【図１】本発明の一実施形態を示す冷凍空調システムの冷媒回路図
【図２】制御系を示すブロック図
【図３】冷媒の流路を示す冷媒回路図
【図４】第１及び第２の冷媒回路の冷凍サイクルを示すモリエ線図
【図５】本発明の他の実施形態を示す冷凍空調システムの冷媒回路図
【図６】制御系を示すブロック図
【図７】除湿冷房運転時の冷媒の流路を示す冷媒回路図
【図８】暖房運転時の冷媒の流路を示す冷媒回路図
【図９】空調空間が所定温度以上の場合の暖房運転時の冷媒の流路を示す冷媒回路図
【符号の説明】
【００５１】
１０…空調ユニット、１１…ユニット本体、１１ａ…第１の通風路、１１ｂ…第２の通風路、１２…デシカントロータ、１４…第１の蒸発器、１６…第１の凝縮器、１８…第３の凝縮器、２０…冷蔵ショーケース、２１…第２の蒸発器、３０…冷凍機ユニット、３１…第１の圧縮機、３２…第２の圧縮機、３３…第２の凝縮器、３４…熱交換器、４０…第１の冷媒回路、４３…蒸発圧力調整弁、５０…第２の冷媒回路、６０…制御部、６２…温度センサ、８０…冷媒回路、９０…制御部、９１…切換スイッチ、９２…温度センサ、Ａ…店舗。
【図１】
2006057883.tif 000003
【図２】
2006057883.tif 000004
【図３】
2006057883.tif 000005
【図４】
2006057883.tif 000006
【図５】
2006057883.tif 000007
【図６】
2006057883.tif 000008
【図７】
2006057883.tif 000009
【図８】
2006057883.tif 000010
【図９】
2006057883.tif 000011